(57)【要約】      （修正有）【課題】被切断物を確実に固定する切断用定規の固定機構を提供する。【解決手段】分度板８にバカ穴を有するブラケット３を固定し、ブラケット３にはメネジを有するフック５を揺動可能に取付けて、かつバカ穴内に掛け金４と締付ナット７が付属した連結用ネジ軸をそう通して、しかもメネジと連結用ネジ軸とを螺合可能とした。【選択図】図１
0003155151.tif 000002
【実用新案登録請求の範囲】
【請求項１】
傾斜角設定目盛を有する分度板（８）と同じく傾斜角目盛を有する案内板（９）とを節合する手段を有した切断用定規において、分度板（８）にバカ穴（３Ａ）を有したブラケット（３）を固定し、かつブラケット（３）にメネジ（５Ａ）を有したフック（５）を揺動可能に設け、バカ穴（３Ａ）内に被切断物（１２）を拘束する掛け金（４）と締付ナット（７）とが付属した連結用ネジ軸（２）をそう通し、しかもメネジ（５Ａ）は連結用ネジ軸（２）に螺合可能に構成したことを特徴とする切断用定規固定機構。
【考案の詳細な説明】
【技術分野】
【０００１】  本考案は、本材、木板や建築用ボード等の被切断物を電動丸鋸等によって切断する際に使用する切断用定規の固定機構に関する。
【背景技術】
【０００２】  従来から電動丸鋸等を用いて木板等の端面部をある傾斜角で切断する際には、分度板と案内板とで構成された切断定規を使用して、所定の傾斜角度を設定し、分度板の側端面を被切断物の端面に当てがって、分度板に設けてある被切断物固定盤に足等を裁置して切断用定規を被切断物に固定した後、案内板の側面にそって電動丸鋸を移動させながら、被切断物の端面をある所定の傾斜角度で切断するものが提案されている。（例えば特許文献１）
【先行技術文献】
【０００３】
【特許文献１】特用２００８−１０５２８０
【考案の概要】
【考案が解決しようとする課題】
【０００４】  前記、特許文献１においては、分度板に設けられた被切断物固定盤に作業者が乗っかって作業できる環境であれば、比較的簡単に被切断物と切断用定規とを固定することができるが、作業員の上半身付近で作業する環境もある。この場合は手を使って固定しなければならず、状況によっては確実に固定できない恐れがある。【０００５】  また、被切断物の幅の大きさも、作業の工程によって、大きくなったり小さくなったりすることもあり、幅の大きいものの場合には、分度板と被切断物との固定が不完全であるといった事態も考えられる。
本考案は、作業者の足や手を使って被切断物を固定するといった不安定な方式を止めて、被切断物を確実に固定するもので、しかも被切断物の幅の大小の変化にも素早く被切断物を固定することにある。
【課題を解決するための手段】
【０００６】  分度板（８）にバカ穴（３Ａ）を有したブラケット（３）を固定し、かつブラケット（３）にメネジ（５Ａ）を有したフック（５）を揺動可能に設け、バカ穴（３Ａ）内に被切断物（１２）を拘束する掛け金（４）と締付ナット（７）とが付属した連結用ネジ軸（２）をそう通し、しかもメネジ（５Ａ）は連結用ネジ軸（２）に螺合可能に構成した。
【考案の効果】
【０００７】  本考案の固定機構を分度板に設けることにより、作業員の足や手を使って被切断物を固定する必要はなくなり、切断作業の作業環境を自由に選択でき、しかもネジを使用した固定機構なので、確実に被切断物と切断用定規とを固定することができ、しかも、作業の工程によって被切断物の幅の大小の切断作業が伴なうが、この幅の大小の変化による段取り換えも容易に簡単に行なえるといった効果がある。
【図面の簡単な説明】
【０００８】
【図１】  本考案の実施例を示す斜視図
【図２】  図１のＡ−Ａ断面拡大図
【図３】  図１のＢ−Ｂ断面拡大図
【考案を実施するための最良の形態】
【０００９】  本考案の実施の形態について、添付図面を参照に説明する。
【実施例】
【００１０】  図１〜図３に基づいて説明する。図１に示すように分度板８と案内板９とは回転中心軸１０により節合されており、分度板８を基準にして案内板９の開度を増減可能としてある。また分度板８には回転中心軸１０を基準にした傾斜角設定目盛８Ａが配列されており、同じく案内板９には傾斜角設定目盛８Ａに対応した傾斜角目盛９Ａが配列されており、所定の傾斜角度を設定すると、固定ナット１１を締付けて分度板８と案内板９を固定する。【００１１】  その他に、分度板８には被切断物固定盤８Ｂと被切断物当て面８Ｃの他に被切断物固定機構１が設けてある。【００１２】  被切断物固定機構１は図２に示すように、バカ穴３Ａを有して分度板８に固定されたブラケット３と、このバカ穴３Ａにそう通された連結用ネジ軸２とがあり、また図３に示すように、ブラケット３の一端にはメネジ５Ａを有したフック５が回転軸６によって揺動可能に取付けられており、フック５をほぼ水平位置においてメネジ５Ａが連結用ネジ軸２に螺合状態になるものである。【００１３】  連結用ネジ軸２の先端部には被切断物１２の端面を喰わえ込み可能な形状をした掛け金４がそう通され、掛け金４に続いてナットが螺合されている。【００１４】  次に作用を説明すると、分度板８に対して案内板９を所定の傾斜角度に設定して、固定ナット１１で双方を固定した後、フック５を図３に示す（イ）方向に一点鎖線で示す位置迄手動で揺動させて、同じく連結用ネジ軸２を図２に示す（ロ）方向にＨの距離だけ移動させた後、案内板９を図１に示すように被切断物１２の上面に載置し、かつ、被切断物当て面８Ｃを被切断物１２の端面に当接させる。【００１５】  次に、連結用ネジ軸２を図２に示す（ハ）の方向に掛け金４が被切断物１２の端面に当接する迄Ｈの距離を移動させる。
連結用ネジ軸２の移動を終えると、フック５を（イ）とは反対方向に揺動させてやると、メネジ５Ａ部は連結用ネジ軸２のネジ部に螺合する。【００１６】  この状態で、締付ナット７を締付けることにより、素早く被切断物１２を分度板８に固定させることができる。
次に切断案内端面９Ｂにそって電動丸鋸を移動させることにより被切断物１２の端部を所定の傾斜角で切断できる。【００１７】  一方、被切断物１２の幅がＨだけ大きなものの場合を切断する時には、フック５を（イ）の方向に揺動させて連結用ネジ軸２との拘束を解除してやると、連結用ネジ軸２はバカ穴３Ａ内を簡単に矢印（ロ）方向にＨの距離だけ素早く移動させることができ、次にフック５を（イ）とは反対方向に揺動させることによりメネジ５Ａと連結用ネジ軸２とは螺合状態になるので、その後締付ナット７を締付ければ、被切断物１２は案内板８に素早く固定することができる。【００１８】  この時、バカ穴３Ａと連結用ネジ軸２との嵌合は螺合となっていない構造なので、ネジ結合という作業は必要とせず、最小限締付ナット７のネジ締付け作業のみであるので、被切断物１２の板幅の増減が作業工程にあっても簡単に短時間で段取り換えが行なえる。従って、被切断物固定盤８Ｂを使って足や手等を使った不安定な固定作業は必要なく、ネジ締結構造としてあるので、簡単、確実に被切断物１２を案内板８に固定できる。
【符号の説明】
【００１９】  １    被切断物固定機構
３    ブラケット
３Ａ  バカ穴
４    掛け金
５    フック
５Ａ  メネジ
６    回転軸
７    締付ナット
８    分度板
９    案内板
１２  被切断板
【図１】
0003155151.tif 000003
【図２】
0003155151.tif 000004
【図３】
0003155151.tif 000005